(57)【要約】  医療用信号処理装置６は、医療用観察装置２で撮像された映像信号を入力し、当該映像信号を処理する。この医療用信号処理装置６は、映像信号を入力する信号入力部６１と、信号入力部６１に入力した映像信号を、マトリクス演算処理によりＲＧＢ信号から輝度信号及び色差信号に変換する第１信号変換部６２と、当該変換後の映像信号に対してマトリクス演算処理に応じた当該映像信号の色域に関する色域識別情報を付加する識別情報付加部６３と、色域識別情報が付加された映像信号を外部の医療用表示装置４または医療用記録装置に出力する信号出力部６４とを備える。
2017022358.tif 000002
【特許請求の範囲】
【請求項１】
医療用観察装置で撮像された映像信号を入力し、当該映像信号を処理する医療用信号処理装置であって、
前記映像信号を入力する信号入力部と、
前記信号入力部に入力した前記映像信号を、マトリクス演算処理によりＲＧＢ信号から輝度信号及び色差信号に変換する第１信号変換部と、
前記変換後の映像信号に対して前記マトリクス演算処理に応じた当該映像信号の色域に関する色域識別情報を付加する識別情報付加部と、
前記色域識別情報が付加された前記映像信号を外部の医療用表示装置または医療用記録装置に出力する信号出力部とを備える
ことを特徴とする医療用信号処理装置。
【請求項２】
前記医療用観察装置で撮像された映像信号は、
４Ｋ解像度の映像信号である
ことを特徴とする請求項１に記載の医療用信号処理装置。
【請求項３】
前記第１信号変換部は、
前記信号入力部に入力した前記映像信号を、ＩＴＵ−Ｒ  ＢＴ．７０９に準拠した前記マトリクス演算処理、または、ＩＴＵ−Ｒ  ＢＴ．２０２０に準拠した前記マトリクス演算処理により変換し、
前記識別情報付加部は、
前記第１信号変換部にて前記ＩＴＵ−Ｒ  ＢＴ．７０９に準拠したマトリクス演算処理により変換された場合には、当該変換後の映像信号に対して前記ＩＴＵ−Ｒ  ＢＴ．７０９を示す前記色域識別情報を付加し、
前記第１信号変換部にて前記ＩＴＵ−Ｒ  ＢＴ．２０２０に準拠したマトリクス演算処理により変換された場合には、当該変換後の映像信号に対して前記ＩＴＵ−Ｒ  ＢＴ．２０２０を示す前記色域識別情報を付加する
ことを特徴とする請求項２に記載の医療用信号処理装置。
【請求項４】
前記第１信号変換部は、
前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、
前記識別情報付加部は、
前記所定のＳＤＩフォーマットで規定されるデータ識別ワードにおけるユーザ使用可能な使用区分を用いて前記色域識別情報を付加する
ことを特徴とする請求項１〜３のいずれか一つに記載の医療用信号処理装置。
【請求項５】
前記第１信号変換部は、
前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、
前記識別情報付加部は、
前記シリアルデータにおける前記所定のＳＤＩフォーマットで規定される補助データ多重可能領域に前記色域識別情報を付加する
ことを特徴とする請求項１〜４のいずれか一つに記載の医療用信号処理装置。
【請求項６】
前記第１信号変換部は、
前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、
前記識別情報付加部は、
前記シリアルデータにおけるＹデータ系列及びＣＢ／ＣＲデータ系列のうち、前記Ｙデータ系列にのみ前記色域識別情報を付加する
ことを特徴とする請求項１〜５のいずれか一つに記載の医療用信号処理装置。
【請求項７】
前記信号入力部は、
左目用映像信号と右目用映像信号との２つの前記映像信号を入力し、
前記第１信号変換部は、
前記信号入力部に入力した前記左目用映像信号及び前記右目用映像信号を前記マトリクス演算処理によりＲＧＢ信号から輝度信号及び色差信号にそれぞれ変換するとともに、当該変換後の前記左目用映像信号及び前記右目用映像信号から３Ｄ映像信号を生成し、
前記識別情報付加部は、
前記３Ｄ映像信号に対して、前記色域識別情報を付加するとともに、当該３Ｄ映像信号の３Ｄ伝送方式に関する方式識別情報を付加し、
前記信号出力部は、
前記色域識別情報及び前記方式識別情報が付加された前記３Ｄ映像信号を前記医療用表示装置または前記医療用記録装置に出力する
ことを特徴とする請求項１〜６のいずれか一つに記載の医療用信号処理装置。
【請求項８】
前記３Ｄ伝送方式は、
ｌｉｎｅ  ｂｙ  ｌｉｎｅ方式である
ことを特徴とする請求項７に記載の医療用信号処理装置。
【請求項９】
前記識別情報付加部は、
ＳＭＰＴＥ  ＳＴ  ２０６８に規定される３ＤＦＣ補助データパケットを前記方式識別情報として用いる
ことを特徴とする請求項７または８に記載の医療用信号処理装置。
【請求項１０】
前記識別情報付加部は、
前記３ＤＦＣ補助データパケットにおけるペイロードの未定義の使用区分を前記方式識別情報として用いる
ことを特徴とする請求項９に記載の医療用信号処理装置。
【請求項１１】
外部の医療用信号処理装置にて処理された映像信号を入力し、当該映像信号に基づく画像を表示する医療用表示装置であって、
前記映像信号には、
前記医療用信号処理装置にて当該映像信号がＲＧＢ信号から輝度信号及び色差信号に変換された際のマトリクス演算処理に応じた当該映像信号の色域に関する色域識別情報が付加され、
当該医療用表示装置は、
前記映像信号に付加された前記色域識別情報に基づいて、当該映像信号を前記マトリクス演算処理に応じて輝度信号及び色差信号からＲＧＢ信号に変換して表示用の映像信号を生成する第２信号変換部と、
前記表示用の映像信号に基づく画像を表示する表示部とを備える
ことを特徴とする医療用表示装置。
【請求項１２】
前記映像信号は、
左目用映像信号及び右目用映像信号に基づいて生成された３Ｄ映像信号であり、
前記３Ｄ映像信号には、
前記色域識別情報が付加されているとともに、当該３Ｄ映像信号の３Ｄ伝送方式に関する方式識別情報が付加され、
前記第２信号変換部は、
前記３Ｄ映像信号に付加された前記色域識別情報に基づいて当該３Ｄ映像信号を前記マトリクス演算処理に応じて輝度信号及び色差信号からＲＧＢ信号に変換するとともに、当該３Ｄ映像信号に付加された前記方式識別情報に基づいて当該３Ｄ映像信号の３Ｄ伝送方式に応じた信号処理を施して前記表示用の映像信号を生成する
ことを特徴とする請求項１１に記載の医療用表示装置。
【請求項１３】
被検体内部を撮像し、当該撮像により得られた映像信号を供給する医療用観察装置と、
前記映像信号を入力し、当該映像信号を処理する医療用信号処理装置と、
前記医療用信号処理装置にて処理された映像信号に基づく画像を表示する医療用表示装置とを備え、
前記医療用信号処理装置は、
前記映像信号を入力する信号入力部と、
前記信号入力部に入力した前記映像信号を、マトリクス演算処理によりＲＧＢ信号から輝度信号及び色差信号に変換する第１信号変換部と、
前記変換後の映像信号に対して前記マトリクス演算処理に応じた当該映像信号の色域に関する色域識別情報を付加する識別情報付加部と、
前記色域識別情報が付加された前記映像信号を前記医療用表示装置に出力する信号出力部とを備え、
前記医療用表示装置は、
前記映像信号に付加された前記色域識別情報に基づいて、当該映像信号を前記マトリクス演算処理に応じて輝度信号及び色差信号からＲＧＢ信号に変換して表示用の映像信号を生成する第２信号変換部と、
前記表示用の映像信号に基づく画像を表示する表示部とを備える
ことを特徴とする医療用観察システム。
【請求項１４】
前記医療用観察装置は、
内視鏡である
ことを特徴とする請求項１３に記載の医療用観察システム。
【発明の詳細な説明】
【技術分野】
【０００１】
本発明は、被検体内部の検査結果に応じた映像信号を入力し当該映像信号を処理する医療用信号処理装置、当該医療用信号処理装置にて処理された映像信号に基づく画像を表示する医療用表示装置、並びに、当該医療用信号処理装置及び当該医療用表示装置を備えた医療用観察システムに関する。
【背景技術】
【０００２】
従来、医療分野において、人等の被検体内部（生体内）を撮像し、当該生体内を観察する医療用観察システムが知られている（例えば、特許文献１参照）。
特許文献１に記載の医療用観察システム（電子内視鏡装置）は、生体内を撮像して映像信号を出力する医療用観察装置（内視鏡スコープ）と、医療用観察装置から映像信号を入力し、当該映像信号をＲＧＢ信号から輝度信号及び色差信号（Ｙ，ＣＢ／ＣＲ信号）に変換（以下、ＹＣ変換と記載）して出力する医療用信号処理装置（プロセッサ装置）と、医療用信号処理装置から入力した映像信号（Ｙ，ＣＢ／ＣＲ信号）をＹ，ＣＢ／ＣＲ信号からＲＧＢ信号に変換（以下、ＲＧＢ変換と記載）して表示用の映像信号（ＲＧＢ信号）を生成し、当該映像信号（ＲＧＢ信号）に基づく画像を表示する医療用表示装置（モニタ）とを備える。【０００３】
図１２は、国際協会で標準化された４Ｋ解像度及び８Ｋ解像度の映像信号を示した図である。図１３は、国際協会で標準化されたＨＤ（High  Definition）、４Ｋ解像度、及び８Ｋ解像度の映像信号の映像パラメータを示した図である。以下、４Ｋ解像度、及び８Ｋ解像度をそれぞれ「４Ｋ」及び「８Ｋ」と略して記載する。
なお、図１２において、「ＵＨＤＴＶ（Ultra-High  Definition  Television）１」は４Ｋの映像信号に相当し、「ＵＨＤＴＶ２」は８Ｋの映像信号に相当する。また、図１３において、「ＵＨＤＴＶ」は４Ｋ及び８Ｋの映像信号に相当し、「ＨＤＴＶ（High  Definition  Television）」は、ＨＤの映像信号に相当する。
ところで、近年では、４Ｋまたは８Ｋの高精細映像信号を出力する医療用観察装置の開発が進んでいる。また、図１２及び図１３に示すように、このような高精細映像信号の伝送方式の標準化が国際協会（ＳＭＰＴＥ（Society  of  Motion  Picture  and  Television  Engineers）やＩＴＵ（International  Telecommunication  Union））によって行われている。
そして、図１３に示すように、ＨＤの映像信号（図１３に示した「ＨＤＴＶ」を参照）については、ＹＣ変換でのマトリクス演算処理として、ＩＴＵ−Ｒ  ＢＴ．７０９に準拠した演算式（図１２に示した「輝度信号」及び「色差信号」の項目参照）を用いることが規格により定められている。また、４Ｋ及び８Ｋの映像信号（図１３に示した「ＵＨＤＴＶ」を参照）については、ＹＣ変換でのマトリクス演算処理として、ＩＴＵ−Ｒ  ＢＴ．２０２０に準拠した演算式（図１３に示した「輝度信号」及び「色差信号」の項目参照）を用いることが規格により定められている。
ここで、図１３には図示を省略しているが、国際協会は、４Ｋの映像信号について、ＹＣ変換でのマトリクス演算処理として、ＩＴＵ−Ｒ  ＢＴ．２０２０に準拠した演算式に限らず、ＩＴＵ−Ｒ  ＢＴ．７０９に準拠した演算式を用いてもよい旨を規定している。
【先行技術文献】
【特許文献】
【０００４】
【特許文献１】特開２０１３−２４４２５０号公報
【発明の概要】
【発明が解決しようとする課題】
【０００５】
上述したように、４Ｋの映像信号については、ＹＣ変換でのマトリクス演算処理として、ＩＴＵ−Ｒ  ＢＴ．２０２０に準拠した演算式、及びＩＴＵ−Ｒ  ＢＴ．７０９に準拠した演算式のどちらを用いてもよい。このため、例えば、特許文献１に記載の医療用信号処理装置において、４Ｋの映像信号に対してＩＴＵ−Ｒ  ＢＴ．２０２０に準拠した演算式を用いてマトリクス演算処理によりＹＣ変換が実行された場合を想定する。
この場合において、特許文献１に記載の医療用表示装置は、医療用信号処理装置から入力した映像信号が４Ｋの映像信号であることを認識することができたとしても、当該医療用信号処理装置がＹＣ変換の際にＩＴＵ−Ｒ  ＢＴ．２０２０に準拠した演算式を用いたか、あるいは、ＩＴＵ−Ｒ  ＢＴ．７０９に準拠した演算式を用いたかを把握することができない。そして、例えば、医療用表示装置において、医療用信号処理装置から入力した映像信号（Ｙ，ＣＢ／ＣＲ信号）に対して、医療用信号処理装置にて用いられたＩＴＵ−Ｒ  ＢＴ．２０２０ではなく、ＩＴＵ−Ｒ  ＢＴ．７０９に準拠した演算式によりＲＧＢ変換（Ｙ，ＣＢ／ＣＲ信号からＲＧＢ信号に変換）を実行し、当該ＲＧＢ変換後の映像信号（ＲＧＢ信号）に基づく画像を表示した場合には、医療用信号処理装置にて処理された映像信号の色域（ＩＴＵ−Ｒ  ＢＴ．２０２０）とは異なる色域（ＩＴＵ−Ｒ  ＢＴ．７０９）で画像を表示することになってしまう。すなわち、色再現性の優れた画像を表示することができない、という問題がある。
そこで、適切な色域で色再現性の優れた画像を表示することが可能となる技術が要望されている。【０００６】
本発明は、上記に鑑みてなされたものであって、適切な色域で色再現性の優れた画像を表示することが可能となる医療用信号処理装置、医療用表示装置、及び医療用観察システムを提供することを目的とする。
【課題を解決するための手段】
【０００７】
上述した課題を解決し、目的を達成するために、本発明に係る医療用信号処理装置は、医療用観察装置で撮像された映像信号を入力し、当該映像信号を処理する医療用信号処理装置であって、前記映像信号を入力する信号入力部と、前記信号入力部に入力した前記映像信号を、マトリクス演算処理によりＲＧＢ信号から輝度信号及び色差信号に変換する第１信号変換部と、前記変換後の映像信号に対して前記マトリクス演算処理に応じた当該映像信号の色域に関する色域識別情報を付加する識別情報付加部と、前記色域識別情報が付加された前記映像信号を外部の医療用表示装置または医療用記録装置に出力する信号出力部とを備えることを特徴とする。【０００８】
また、本発明に係る医療用信号処理装置は、上記発明において、前記医療用観察装置で撮像された映像信号は、４Ｋ解像度の映像信号であることを特徴とする。【０００９】
また、本発明に係る医療用信号処理装置は、上記発明において、前記第１信号変換部は、前記信号入力部に入力した前記映像信号を、ＩＴＵ−Ｒ  ＢＴ．７０９に準拠した前記マトリクス演算処理、または、ＩＴＵ−Ｒ  ＢＴ．２０２０に準拠した前記マトリクス演算処理により変換し、前記識別情報付加部は、前記第１信号変換部にて前記ＩＴＵ−Ｒ  ＢＴ．７０９に準拠したマトリクス演算処理により変換された場合には、当該変換後の映像信号に対して前記ＩＴＵ−Ｒ  ＢＴ．７０９を示す前記色域識別情報を付加し、前記第１信号変換部にて前記ＩＴＵ−Ｒ  ＢＴ．２０２０に準拠したマトリクス演算処理により変換された場合には、当該変換後の映像信号に対して前記ＩＴＵ−Ｒ  ＢＴ．２０２０を示す前記色域識別情報を付加することを特徴とする。【００１０】
また、本発明に係る医療用信号処理装置は、上記発明において、前記第１信号変換部は、前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、前記識別情報付加部は、前記所定のＳＤＩフォーマットで規定されるデータ識別ワードにおけるユーザ使用可能な使用区分を用いて前記色域識別情報を付加することを特徴とする。【００１１】
また、本発明に係る医療用信号処理装置は、上記発明において、前記第１信号変換部は、前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、前記識別情報付加部は、前記シリアルデータにおける前記所定のＳＤＩフォーマットで規定される補助データ多重可能領域に前記色域識別情報を付加することを特徴とする。【００１２】
また、本発明に係る医療用信号処理装置は、上記発明において、前記第１信号変換部は、前記信号入力部に入力した前記映像信号を前記マトリクス演算処理によりＲＧＢ信号から輝度信号及び色差信号に変換するとともに、当該変換後の映像信号を所定のＳＤＩフォーマットで規定されるシリアルデータに変換し、前記識別情報付加部は、前記シリアルデータにおけるＹデータ系列及びＣＢ／ＣＲデータ系列のうち、前記Ｙデータ系列にのみ前記色域識別情報を付加することを特徴とする。【００１３】
また、本発明に係る医療用信号処理装置は、上記発明において、前記信号入力部は、左目用映像信号と右目用映像信号との２つの前記映像信号を入力し、前記第１信号変換部は、前記信号入力部に入力した前記左目用映像信号及び前記右目用映像信号を前記マトリクス演算処理によりＲＧＢ信号から輝度信号及び色差信号にそれぞれ変換するとともに、当該変換後の前記左目用映像信号及び前記右目用映像信号から３Ｄ映像信号を生成し、前記識別情報付加部は、前記３Ｄ映像信号に対して、前記色域識別情報を付加するとともに、当該３Ｄ映像信号の３Ｄ伝送方式に関する方式識別情報を付加し、前記信号出力部は、前記色域識別情報及び前記方式識別情報が付加された前記３Ｄ映像信号を前記医療用表示装置または前記医療用記録装置に出力することを特徴とする。【００１４】
また、本発明に係る医療用信号処理装置は、上記発明において、前記３Ｄ伝送方式は、ｌｉｎｅ  ｂｙ  ｌｉｎｅ方式であることを特徴とする。【００１５】
また、本発明に係る医療用信号処理装置は、上記発明において、前記識別情報付加部は、ＳＭＰＴＥ  ＳＴ  ２０６８に規定される３ＤＦＣ補助データパケットを前記方式識別情報として用いることを特徴とする。【００１６】
また、本発明に係る医療用信号処理装置は、上記発明において、前記識別情報付加部は、前記３ＤＦＣ補助データパケットにおけるペイロードの未定義の使用区分を前記方式識別情報として用いることを特徴とする。【００１７】
また、本発明に係る医療用表示装置は、外部の医療用信号処理装置にて処理された映像信号を入力し、当該映像信号に基づく画像を表示する医療用表示装置であって、前記映像信号には、前記医療用信号処理装置にて当該映像信号がＲＧＢ信号から輝度信号及び色差信号に変換された際のマトリクス演算処理に応じた当該映像信号の色域に関する色域識別情報が付加され、当該医療用表示装置は、前記映像信号に付加された前記色域識別情報に基づいて、当該映像信号を前記マトリクス演算処理に応じて輝度信号及び色差信号からＲＧＢ信号に変換して表示用の映像信号を生成する第２信号変換部と、前記表示用の映像信号に基づく画像を表示する表示部とを備えることを特徴とする。【００１８】
また、本発明に係る医療用表示装置は、上記発明において、前記映像信号は、左目用映像信号及び右目用映像信号に基づいて生成された３Ｄ映像信号であり、前記３Ｄ映像信号には、前記色域識別情報が付加されているとともに、当該３Ｄ映像信号の３Ｄ伝送方式に関する方式識別情報が付加され、前記第２信号変換部は、前記３Ｄ映像信号に付加された前記色域識別情報に基づいて当該３Ｄ映像信号を前記マトリクス演算処理に応じて輝度信号及び色差信号からＲＧＢ信号に変換するとともに、当該３Ｄ映像信号に付加された前記方式識別情報に基づいて当該３Ｄ映像信号の３Ｄ伝送方式に応じた信号処理を施して前記表示用の映像信号を生成することを特徴とする。【００１９】
また、本発明に係る医療用観察システムは、被検体内部を撮像し、当該撮像により得られた映像信号を供給する医療用観察装置と、前記映像信号を入力し、当該映像信号を処理する医療用信号処理装置と、前記医療用信号処理装置にて処理された映像信号に基づく画像を表示する医療用表示装置とを備え、前記医療用信号処理装置は、前記映像信号を入力する信号入力部と、前記信号入力部に入力した前記映像信号を、マトリクス演算処理によりＲＧＢ信号から輝度信号及び色差信号に変換する第１信号変換部と、前記変換後の映像信号に対して前記マトリクス演算処理に応じた当該映像信号の色域に関する色域識別情報を付加する識別情報付加部と、前記色域識別情報が付加された前記映像信号を前記医療用表示装置に出力する信号出力部とを備え、前記医療用表示装置は、前記映像信号に付加された前記色域識別情報に基づいて、当該映像信号を前記マトリクス演算処理に応じて輝度信号及び色差信号からＲＧＢ信号に変換して表示用の映像信号を生成する第２信号変換部と、前記表示用の映像信号に基づく画像を表示する表示部とを備えることを特徴とする。【００２０】
また、本発明に係る医療用観察システムは、上記発明において、前記医療用観察装置は、内視鏡であることを特徴とする。
【発明の効果】
【００２１】
本発明に係る医療用信号処理装置は、被検体内部の検査結果に応じた映像信号を入力し、当該映像信号をＲＧＢ信号からＹ，ＣＢ／ＣＲ信号に変換（ＹＣ変換）する。そして、医療用信号処理装置は、当該ＹＣ変換後の映像信号に対して当該ＹＣ変換でのマトリクス演算処理に応じた当該映像信号の色域に関する色域識別情報を付加し、外部の医療用表示装置または医療用記録装置に出力する。
このため、色域識別情報を含む映像信号が直接、医療用表示装置に出力された場合には、医療用表示装置において、当該色域識別情報を判別することで、医療用信号処理装置でのＹＣ変換でどのような演算式が用いられたかを認識することができる。したがって、医療用表示装置において、医療用信号処理装置から入力した映像信号（Ｙ，ＣＢ／ＣＲ信号）を当該演算式に応じてＹ，ＣＢ／ＣＲ信号からＲＧＢ信号に変換（ＲＧＢ変換）して表示用の映像信号を生成し、当該表示用の映像信号（ＲＧＢ信号）に基づく画像を表示すれば、適切な色域で色再現性の優れた画像を表示することが可能となる。
また、色域識別情報を含む映像信号が医療用記録装置に出力された場合には、医療用記録装置において、当該映像信号を記録するとともに、当該映像信号を当該色域識別情報と併せて医療用表示装置に出力すれば、上述した処理により、医療用表示装置にて適切な色域で色再現性の優れた画像を表示することが可能となる。【００２２】
本発明に係る医療用表示装置は、医療用信号処理装置にて処理された映像信号を入力する。そして、医療用表示装置は、当該映像信号に付加された色域識別情報に基づいて、当該映像信号（Ｙ，ＣＢ／ＣＲ信号）を医療用信号処理装置にて用いられた演算式に応じてＹ，ＣＢ／ＣＲ信号からＲＧＢ信号に変換（ＲＧＢ変換）し、当該ＲＧＢ変換後の映像信号（ＲＧＢ信号）に基づく画像を表示する。
すなわち、医療用表示装置は、当該色域識別情報を判別することで、医療用信号処理装置でのＹＣ変換でどのような演算式が用いられたかを認識することができる。したがって、医療用表示装置は、医療用信号処理装置から入力した映像信号（Ｙ，ＣＢ／ＣＲ信号）に対して当該演算式に応じたＲＧＢ変換を実行して表示用の映像信号を生成し、当該表示用の映像信号（ＲＧＢ信号）に基づく画像を表示することで、適切な色域で色再現性の優れた画像を表示することができる。【００２３】
本発明に係る医療用観察システムは、上述した医療用信号処理装置及び医療用表示装置を備えているため、上述した医療用信号処理装置及び医療用表示装置と同様の効果を奏する。
【図面の簡単な説明】
【００２４】
【図１】図１は、本発明の実施の形態１に係る医療用観察システムの概略構成を示す図である。
【図２】図２は、図１に示した信号処理装置の構成を示すブロック図である。
【図３Ａ】図３Ａは、図２に示した第１信号変換部にて変換されるＳＤＩデータストリーム（Ｙデータ系列）の一例を示す図である。
【図３Ｂ】図３Ｂは、図２に示した第１信号変換部にて変換されるＳＤＩデータストリーム（ＣＢ／ＣＲデータ系列）の一例を示す図である。
【図４】図４は、図２に示した識別情報付加部にて付加される色域識別情報（ＵＩＤ）の一例を示す図である。
【図５】図５は、図１及び図２に示した信号処理装置の動作（信号処理方法）を示すフローチャートである。
【図６】図６は、図１及び図２に示した表示装置の動作（表示方法）を示すフローチャートである。
【図７】図７は、本発明の実施の形態２に係る医療用観察システムの概略構成を示す図である。
【図８】図８は、本発明の実施の形態３に係る医療用観察システムの概略構成を示す図である。
【図９】図９は、本発明の実施の形態４に係る医療用観察システムを構成する顕微鏡部、信号処理装置、及び表示装置の構成を示すブロック図である。
【図１０Ａ】図１０Ａは、図９に示した第１信号変換部にて変換されるＳＤＩデータストリーム（Ｙデータ系列）の一例を示す図である。
【図１０Ｂ】図１０Ｂは、図９に示した第１信号変換部にて変換されるＳＤＩデータストリーム（ＣＢ／ＣＲデータ系列）の一例を示す図である。
【図１１】図１１は、ＳＭＰＴＥ  ＳＴ  ２０６８で規定されるペイロードを示す図である。
【図１２】図１２は、国際協会で標準化された４Ｋ解像度及び８Ｋ解像度の映像信号を示した図である。
【図１３】図１３は、国際協会で標準化されたＨＤ、４Ｋ解像度、及び８Ｋ解像度の映像信号の映像パラメータを示した図である。
【発明を実施するための形態】
【００２５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００２６】
（実施の形態１）
〔医療用観察システムの概略構成〕
図１は、本発明の実施の形態１に係る医療用観察システム１の概略構成を示す図である。
医療用観察システム１は、医療分野において用いられ、人等の被検体内部（生体内）を観察するシステムである。この医療用観察システム１は、図１に示すように、内視鏡２と、第１伝送ケーブル３と、表示装置４と、第２伝送ケーブル５と、信号処理装置６と、第３伝送ケーブル７とを備える。
【００２７】
内視鏡２は、本発明に係る医療用観察装置としての機能を有し、生体内を検査して当該検査結果に応じた信号を出力する。この内視鏡２は、図１に示すように、挿入部２１と、光源装置２２と、ライトガイド２３と、カメラヘッド２４とを備える。
挿入部２１は、硬質で細長形状を有し、生体内に挿入される。この挿入部２１内には、１または複数のレンズを用いて構成され、被写体像を集光する光学系が設けられている。
【００２８】
光源装置２２は、ライトガイド２３の一端が接続され、信号処理装置６による制御の下、当該ライトガイド２３の一端に生体内を照明するための光を供給する。
ライトガイド２３は、一端が光源装置２２に着脱自在に接続されるとともに、他端が挿入部２１に着脱自在に接続される。そして、ライトガイド２３は、光源装置２２から供給された光を一端から他端に伝達し、挿入部２１に供給する。挿入部２１に供給された光は、当該挿入部２１の先端から出射され、生体内に照射される。生体内に照射された光（被写体像）は、挿入部２１内の光学系により集光される。
【００２９】
カメラヘッド２４は、挿入部２１の基端に着脱自在に接続される。そして、カメラヘッド２４は、信号処理装置６による制御の下、挿入部２１にて集光された被写体像を撮像し、当該撮像による撮像信号（以下、ＲＡＷ信号と記載）を出力する。なお、当該ＲＡＷ信号は、本発明に係る「検査結果に応じた映像信号」に相当する。
本実施の形態１では、カメラヘッド２４は、当該ＲＡＷ信号を光信号に光電変換し、当該ＲＡＷ信号を光信号で出力する。また、本実施の形態１では、当該ＲＡＷ信号は、４Ｋの映像信号である。ここで、４Ｋの映像信号とは、例えば、４０９６×２１６０または３８４０×２１６０の解像度を有する映像信号である。
【００３０】
第１伝送ケーブル３は、一端が信号処理装置６に着脱自在に接続され、他端がカメラヘッド２４に着脱自在に接続される。具体的に、第１伝送ケーブル３は、最外層である外被の内側に複数の電気配線（図示略）及び光ファイバ（図示略）が配設されたケーブルである。
上述した複数の電気配線は、信号処理装置６から出力される制御信号、タイミング信号、及び電力等をカメラヘッド２４にそれぞれ伝送するための電気配線である。
上述した光ファイバは、カメラヘッド２４から出力されるＲＡＷ信号（光信号）を信号処理装置６に伝送するための光ファイバである。ここで、カメラヘッド２４からＲＡＷ信号が電気信号で出力される場合には、当該光ファイバを電気配線に変更しても構わない。
【００３１】
表示装置４は、本発明に係る医療用表示装置としての機能を有する。そして、表示装置４は、信号処理装置６にて処理された映像信号に基づく画像を表示する。
なお、表示装置４の詳細な構成については、後述する。
第２伝送ケーブル５は、一端が表示装置４に着脱自在に接続され、他端が信号処理装置６に着脱自在に接続される。そして、第２伝送ケーブル５は、信号処理装置６にて処理された映像信号を表示装置４に伝送する。
本実施の形態１では、第２伝送ケーブル５は、所定のＳＤＩ（例えば、HD-SDI、3G-SDI等）の伝送規格に準拠した伝送ケーブルで構成されている。
【００３２】
信号処理装置６は、本発明に係る医療用信号処理装置としての機能を有する。そして、信号処理装置６は、ＣＰＵ（Central  Processing  Unit）等を含んで構成され、光源装置２２、カメラヘッド２４、及び表示装置４の動作を統括的に制御する。
なお、信号処理装置６の詳細な構成については、後述する。
第３伝送ケーブル７は、一端が光源装置２２に着脱自在に接続され、他端が信号処理装置６に着脱自在に接続される。そして、第３伝送ケーブル７は、信号処理装置６からの制御信号を光源装置２２に伝送する。
【００３３】
〔信号処理装置の構成〕
次に、信号処理装置６の構成について説明する。
以下では、信号処理装置６の機能として、カメラヘッド２４から第１伝送ケーブル３を介して入力したＲＡＷ信号に対してＹＣ変換（ＲＧＢ信号からＹ，ＣＢ／ＣＲ信号に変換）を実行するとともに、所定のＳＤＩ（例えば、HD-SDI、3G-SDI等）フォーマットで規定されるＳＤＩデータストリーム（本発明に係るシリアルデータに相当）に変換する機能を主に説明する。
図２は、信号処理装置６の構成を示すブロック図である。
信号処理装置６は、図２に示すように、光電変換部６１と、第１信号変換部６２と、識別情報付加部６３と、信号出力部６４と、第１記録部６５とを備える。
光電変換部６１は、本発明に係る信号入力部としての機能を有し、第１伝送ケーブル３を介してカメラヘッド２４からＲＡＷ信号（光信号）を入力する。そして、光電変換部６１は、当該ＲＡＷ信号（光信号）を電気信号に光電変換する。
【００３４】
第１信号変換部６２は、光電変換部６１にて光電変換されたＲＡＷ信号に対して、ＩＴＵ−Ｒ  ＢＴ．７０９に準拠したマトリクス演算処理（図１３に示した「ＨＤＴＶ」の「輝度信号」及び「色差信号」の項目で規定された演算式）またはＩＴＵ−Ｒ  ＢＴ．２０２０に準拠したマトリクス演算処理（図１３に示した「ＵＨＤＴＶ」の「輝度信号」及び「色差信号」の項目で規定された演算式）によりＹＣ変換（ＲＧＢ信号からＹ，ＣＢ／ＣＲ信号に変換）を実行する。
上述したように、４Ｋの映像信号については、ＹＣ変換でのマトリクス演算処理として、ＩＴＵ−Ｒ  ＢＴ．７０９に準拠した演算式、及びＩＴＵ−Ｒ  ＢＴ．２０２０に準拠した演算式のどちらを用いてもよい。本実施の形態１では、第１信号変換部６２は、光電変換部６１にて光電変換されたＲＡＷ信号（４Ｋの映像信号）に対して、ＩＴＵ−Ｒ  ＢＴ．２０２０に準拠したマトリクス演算処理によりＹＣ変換を実行するものとする。
【００３５】
また、第１信号変換部６２は、当該ＹＣ変換後の映像信号（Ｙ，ＣＢ／ＣＲ信号）を公知のマッピング処理により、所定のＳＤＩ（例えば、3G-SDIのレベルＡ）フォーマットで規定される複数チャンネル（例えば、４チャンネル）のＳＤＩデータストリーム（Ｙデータ系列、ＣＢ／ＣＲデータ系列）に変換する。
図３Ａは、第１信号変換部６２にて変換されるＳＤＩデータストリーム（Ｙデータ系列）の一例を示す図である。図３Ｂは、第１信号変換部６２にて変換されるＳＤＩデータストリーム（ＣＢ／ＣＲデータ系列）の一例を示す図である。
なお、図３Ａ及び図３Ｂは、電波産業会（ＡＲＩＢ）による「１１２５／６０方式ＨＤＴＶ信号のビット直列インタフェース規格（ＢＴＡ  Ｓ−００４Ｃ）」で規定されるＳＤＩデータストリーム（１１２５／Ｐ（レベルＡ）におけるＳＤＩデータストリーム）を例示している。
第１信号変換部６２にて変換されるＳＤＩデータストリーム（Ｙデータ系列、ＣＢ／ＣＲデータ系列）は、例えば、図３Ａ及び図３Ｂに示すように、映像サンプル番号「１９２０」〜「１９２３」にタイミング基準コード（ＥＡＶ）が割り当てられ、映像サンプル番号「１９２４」〜「１９２５」にライン番号データ（ＬＮ）が割り当てられ、映像サンプル番号「１９２６」〜「１９２７」に誤り検出符号データ（ＣＲＣＣ）が割り当てられ、映像サンプル番号「２１９６」〜「２１９９」にタイミング基準コード（ＳＡＶ）が割り当てられ、映像サンプル番号「０」〜「１９１９」のライン番号「４２」〜「１１２１」に有効映像領域の映像データ（Ｙ，ＣＢ／ＣＲ信号）が割り当てられている。
【００３６】
ここで、ＳＤＩデータストリーム（Ｙデータ系列、ＣＢ／ＣＲデータ系列）において、映像サンプル番号「１９２８」〜「２１９５」のライン番号「８」（スイッチングポイントの次のライン）を除く領域（図３Ａ及び図３Ｂに斜線で示した領域）は、水平補助データ領域（ＨＡＮＣ）である。また、ＳＤＩデータストリーム（Ｙデータ系列、ＣＢ／ＣＲデータ系列）において、映像サンプル番号「０」〜「１９１９」のライン番号「７」（スイッチングポイントのあるライン）、「８」、及び「４２」〜「１１２１」を除く領域（図３Ａ及び図３Ｂに斜線で示した領域）は、垂直補助データ領域（ＶＡＮＣ）である。
そして、図３Ａ及び図３Ｂに斜線で示した水平補助データ領域（ＨＡＮＣ）及び垂直補助データ領域（ＶＡＮＣ）は、種々のデータを多重化（付加）することを可能とする補助データ多重可能領域である。
例えば、水平補助データ領域（ＨＡＮＣ）において、ライン番号「１０」の映像サンプル番号「１９２８」〜「１９３８」（図３Ａ及び図３Ｂに黒塗りで示した第１領域Ａｒ１）には、コンテンツの内容を識別（例えば、映像信号がＨＤ、４Ｋ、及び８Ｋのいずれの映像信号であるか等を識別）するためのＰＩＤ（ペイロードＩＤ）が付加されている。
【００３７】
識別情報付加部６３は、第１信号変換部６２にて変換されたＳＤＩデータストリームに対して、第１信号変換部６２によるＹＣ変換でのマトリクス演算処理に応じた映像信号の色域に関する色域識別情報を付加する。
本実施の形態１では、識別情報付加部６３は、所定のＳＤＩフォーマットで規定されるＵＩＤ（ユーザＩＤ）により、色域識別情報を付加する。また、識別情報付加部６３は、ＳＤＩデータストリームにおけるＹデータ系列及びＣＢ／ＣＲデータ系列のうち、Ｙデータ系列にのみ色域識別情報（ＵＩＤ）を付加する。そして、識別情報付加部６３は、ＳＤＩデータストリーム（Ｙデータ系列）の垂直補助データ領域（ＶＡＮＣ）において、ライン番号「１２」の映像サンプル番号「０」〜「７」（図３Ａに黒塗りで示した第２領域Ａｒ２）に、色域識別情報（ＵＩＤ）を付加する。さらに、識別情報付加部６３は、第１信号変換部６２にて変換された全てのチャンネル（例えば、４チャンネル）のＳＤＩデータストリーム（Ｙデータ系列のみ）に対して色域識別情報（ＵＩＤ）を付加する。
【００３８】
図４は、識別情報付加部６３にて付加される色域識別情報（ＵＩＤ）の一例を示す図である。
識別情報付加部６３にて付加される色域識別情報（ＵＩＤ）は、例えば、図４に示すように、電波産業会（ＡＲＩＢ）による「１１２５／６０方式ＨＤＴＶビット直列インタフェースにおける補助データの共通規格（ＢＴＡ  Ｓ−００５）」で規定される補助データパケットの構造（第２形式）に従っている。すなわち、当該色域識別情報（ＵＩＤ）は、補助データフラグ（ＡＤＦ）と、データ識別ワード（ＤＩＤ）と、第２データ識別ワード（ＳＤＩＤ）と、データカウントワード（ＤＣ）と、ユーザデータワード（ＵＤＷ）と、チェックサムワード（ＣＳ）とで構成されている。
【００３９】
補助データフラグ（ＡＤＦ）は、「０００ｈ」、「３ＦＦｈ」、「３ＦＦｈ」の連続する３ワードからなり、色域識別情報（ＵＩＤ）の開始を示す。
データ識別ワード（ＤＩＤ）及び第２データ識別ワード（ＳＤＩＤ）は、それぞれ１ワードからなり、ユーザデータワード（ＵＤＷ）の種類を示すものであって、本実施の形態１では、当該ＵＩＤが色域を識別するための色域識別情報であることを示す。
なお、ＢＴＡ  Ｓ−００５では、データ識別ワード（ＤＩＤ）については「５０ｈ」〜「５Ｆｈ」の値（データ識別番号）をユーザ用に使用可能な使用区分とし、第２データ識別ワード（ＳＤＩＤ）については「０１ｈ」〜「ＦＦｈ」の値（データ識別番号）をユーザ用に使用可能な使用区分としている。本実施の形態１では、データ識別ワード（ＤＩＤ）及び第２データ識別ワード（ＳＤＩＤ）として、図４に示すように、「５５ｈ」及び「０５ｈ」の値（ユーザ使用可能な使用区分）をそれぞれ用いている。すなわち、識別情報付加部６３は、所定のＳＤＩフォーマットで規定されるデータ識別ワード（ＤＩＤ，ＳＤＩＤ）におけるユーザ使用可能な使用区分を用いて色域識別情報を付加する。
【００４０】
データカウントワード（ＤＣ）は、１ワードからなり、ユーザデータワード（ＵＤＷ）のワード数を示す。
ユーザデータワード（ＵＤＷ）は、１ワードからなり、第１信号変換部６２にてＹＣ変換でのマトリクス演算処理で用いた演算式を示す。
例えば、ユーザデータワード（ＵＤＷ）は、図４に示すように、当該マトリクス演算処理がＩＴＵ−Ｒ  ＢＴ．７０９に準拠している場合（表示装置４にＩＴＵ−Ｒ  ＢＴ．７０９の色域で画像を表示させる場合）には、「００４ｈ」の値に設定される。また、ユーザデータワード（ＵＤＷ）は、当該マトリクス演算処理がＩＴＵ−Ｒ  ＢＴ．２０２０に準拠している場合（表示装置４にＩＴＵ−Ｒ  ＢＴ．２０２０の色域で画像を表示させる場合）には、「００５ｈ」の値に設定される。さらに、将来の広色域化を考慮し、当該マトリクス演算処理がＩＴＵ−Ｒ  ＢＴ．２０２０の色域よりも広色域である規格に準拠している場合（表示装置４に当該規格の色域で画像を表示させる場合）には、「００６ｈ」の値に設定される。
本実施の形態１では、上述したように、第１信号変換部６２は、ＩＴＵ−Ｒ  ＢＴ．２０２０に準拠したマトリクス演算処理によりＹＣ変換を実行している。このため、ユーザデータワード（ＵＤＷ）は、「００５ｈ」の値に設定される。
チェックサムワード（ＣＳ）は、当該ＵＩＤのチェックサム値を示す。
【００４１】
信号出力部６４は、第２伝送ケーブル５を介して、色域識別情報（ＵＩＤ）が付加された複数チャンネル（例えば、４チャンネル）のＳＤＩデータストリーム（Ｙデータ系列、ＣＢ／ＣＲデータ系列）を表示装置４に出力する。
第１記録部６５は、第１信号変換部６２や識別情報付加部６３での各種処理に必要なデータ等を記録する。
【００４２】
そして、上述した信号処理装置６は、以下に示すように動作する。
図５は、信号処理装置６の動作（信号処理方法）を示すフローチャートである。
先ず、光電変換部６１は、第１伝送ケーブル３を介してカメラヘッド２４からＲＡＷ信号（光信号）を入力する（ステップＳ１Ａ）。そして、光電変換部６１は、当該ＲＡＷ信号（光信号）を電気信号に光電変換し、当該光電変換したＲＡＷ信号を第１信号変換部６２に出力する。
【００４３】
続いて、第１信号変換部６２は、光電変換部６１にて光電変換されたＲＡＷ信号（４Ｋの映像信号）に対して、ＩＴＵ−Ｒ  ＢＴ．２０２０に準拠したマトリクス演算処理によりＹＣ変換（ＲＧＢ信号からＹ，ＣＢ／ＣＲ信号に変換）を実行する（ステップＳ１Ｂ）。
続いて、第１信号変換部６２は、当該ＹＣ変換後の映像信号（Ｙ，ＣＢ／ＣＲ信号）をマッピング処理により、複数チャンネル（例えば、４チャンネル）のＳＤＩデータストリーム（Ｙデータ系列、ＣＢ／ＣＲデータ系列）に変換する（ステップＳ１Ｃ）。
【００４４】
続いて、識別情報付加部６３は、当該全てのチャンネル（例えば、４チャンネル）のＳＤＩデータストリームにおけるＹデータ系列のみに色域識別情報（ＵＩＤ（ユーザデータワード（ＵＤＷ）を「００５ｈ」の値に設定））を付加する（ステップＳ１Ｄ）。
そして、信号出力部６４は、第２伝送ケーブル５を介して、色域識別情報（ＵＩＤ）が付加された複数チャンネル（例えば、４チャンネル）のＳＤＩデータストリーム（Ｙデータ系列、ＣＢ／ＣＲデータ系列）を表示装置４に出力する（ステップＳ１Ｅ）。
【００４５】
〔表示装置の構成〕
次に、表示装置４の構成について説明する。
以下では、表示装置４の機能として、信号処理装置６から第２伝送ケーブル５を介して入力した複数チャンネルのＳＤＩデータストリームから表示用の映像信号（ＲＧＢ信号）を生成し、当該表示用の映像信号（ＲＧＢ信号）に基づく画像を表示する機能を主に説明する。
表示装置４は、図２に示すように、入力部４１と、第２信号変換部４２と、表示部４３と、第２記録部４４とを備える。
入力部４１は、第２伝送ケーブル５を介して、複数チャンネル（例えば、４チャンネル）のＳＤＩデータストリーム（Ｙデータ系列、ＣＢ／ＣＲデータ系列）を信号処理装置６から入力する。
【００４６】
第２信号変換部４２は、当該ＳＤＩデータストリームの水平補助データ領域（ＨＡＮＣ）における第１領域Ａｒ１（図３Ａ，図３Ｂ）に付加されたＰＩＤに基づいて、コンテンツの内容を判別（例えば、映像信号がＨＤ、４Ｋ、及び８Ｋのいずれの映像信号であるか等を判別）する。そして、第２信号変換部４２は、当該コンテンツの内容に応じて、第１信号変換部６２によるマッピング処理とは逆の処理を実行し、当該ＳＤＩデータストリームを第１信号変換部６２にて当該ＳＤＩデータストリームに変換される前の映像信号（Ｙ，ＣＢ／ＣＲ信号）に変換する。
また、第２信号変換部４２は、当該ＳＤＩデータストリームの垂直補助データ領域（ＶＡＮＣ）における第２領域Ａｒ２（図３Ａ）に付加された色域識別情報（ＵＩＤ）に基づいて、第１信号変換部６２にてＹＣ変換でのマトリクス演算処理で用いられた演算式を把握する。そして、第２信号変換部４２は、上記変換した映像信号（Ｙ，ＣＢ／ＣＲ信号）に対して、当該マトリクス演算処理に応じたＲＧＢ変換（Ｙ，ＣＢ／ＣＲ信号からＲＧＢ信号に変換）を実行することで、表示用の映像信号（ＲＧＢ信号）を生成する（元の映像信号（ＲＧＢ信号）を復元する）。
すなわち、第２信号変換部４２は、第１信号変換部６２によるＹＣ変換でＩＴＵ−Ｒ  ＢＴ．７０９に準拠した演算式が用いられた場合には、当該ＩＴＵ−Ｒ  ＢＴ．７０９に準拠したマトリクス演算処理（ＲＧＢ変換）を実行する。一方、第２信号変換部４２は、第１信号変換部６２によるＹＣ変換でＩＴＵ−Ｒ  ＢＴ．２０２０に準拠した演算式が用いられた場合には、当該ＩＴＵ−Ｒ  ＢＴ．２０２０に準拠したマトリクス演算処理（ＲＧＢ変換）を実行する。
本実施の形態１では、上述したように、第１信号変換部６２は、ＩＴＵ−Ｒ  ＢＴ．２０２０に準拠したマトリクス演算処理によりＹＣ変換を実行している。このため、第２信号変換部４２は、色域識別情報（ＵＩＤ）により当該マトリクス演算処理で用いられた演算式を把握し、ＩＴＵ−Ｒ  ＢＴ．２０２０に準拠したマトリクス演算処理（ＲＧＢ変換）を実行することにより、ＩＴＵ−Ｒ  ＢＴ．２０２０の広い色域の表示用の映像信号（ＲＧＢ信号）を生成している。
【００４７】
表示部４３は、第２信号変換部４２にて生成された表示用の映像信号（ＲＧＢ信号）に基づく画像を表示する。
第２記録部４４は、第２信号変換部４２での各種処理に必要なデータ等を記録する。
【００４８】
そして、上述した表示装置４は、以下に示すように動作する。
図６は、表示装置４の動作（表示方法）を示すフローチャートである。
先ず、入力部４１は、第２伝送ケーブル５を介して、複数チャンネル（例えば、４チャンネル）のＳＤＩデータストリーム（Ｙデータ系列、ＣＢ／ＣＲデータ系列）を信号処理装置６から入力する（ステップＳ２Ａ）。
【００４９】
続いて、第２信号変換部４２は、ＳＤＩデータストリームに含まれるＰＩＤに基づいて、コンテンツの内容を判別する。そして、第２信号変換部４２は、当該コンテンツの内容に応じて、第１信号変換部６２によるマッピング処理とは逆の処理を実行し、当該ＳＤＩデータストリームを第１信号変換部６２にて当該ＳＤＩデータストリームに変換される前の映像信号（Ｙ，ＣＢ／ＣＲ信号）に変換する（ステップＳ２Ｂ）。
【００５０】
続いて、第２信号変換部４２は、ＳＤＩデータストリームに含まれる色域識別情報（ＵＩＤ）に基づいて、第１信号変換部６２にてＹＣ変換でのマトリクス演算処理で用いられた演算式（ＩＴＵ−Ｒ  ＢＴ．２０２０に準拠）を把握する。そして、第２信号変換部４２は、ステップＳ２Ｂで変換した映像信号（Ｙ，ＣＢ／ＣＲ信号）に対して、ＩＴＵ−Ｒ  ＢＴ．２０２０に準拠したマトリクス演算処理（ＲＧＢ変換）を実行し、表示用の４Ｋの映像信号（ＲＧＢ信号）を生成する（ステップＳ２Ｃ）。
そして、表示部４３は、ステップＳ２Ｃで生成された表示用の４Ｋの映像信号（ＲＧＢ信号）に基づく画像（ＩＴＵ−Ｒ  ＢＴ．２０２０の広い色域の画像）を表示する（ステップＳ２Ｄ）。
【００５１】
以上説明した本実施の形態１に係る信号処理装置６は、生体内の検査結果に応じた映像信号を入力し、当該映像信号のＹＣ変換を実行する。そして、信号処理装置６は、当該ＹＣ変換後の映像信号（ＳＤＩデータストリーム）に対して当該ＹＣ変換でのマトリクス演算処理に応じた当該映像信号の色域に関する色域識別情報（ＵＩＤ）を付加し、外部の表示装置４に出力する。
このため、本実施の形態１に係る表示装置４は、信号処理装置６から入力した映像信号（ＳＤＩデータストリーム）に付加された色域識別情報（ＵＩＤ）を判別することで、信号処理装置６でのＹＣ変換でどのような演算式が用いられたかを認識することができる。したがって、表示装置４は、信号処理装置６から入力した映像信号（Ｙ，ＣＢ／ＣＲ信号）に対して当該演算式に応じたＲＧＢ変換を実行して表示用の映像信号（ＲＧＢ信号）を生成し、当該表示用の映像信号（ＲＧＢ信号）に基づく画像を表示することで、適切な色域で色再現性の優れた画像を表示することができる。
特に、生体内については実際に直視することができないため、医療用観察システム１を利用する医師等のユーザは、表示装置４に表示される画像を見ても、当該画像が適切な色域で表示されているか否かを判断することができない。そして、例えば、スイッチを表示装置に設け、当該スイッチへの操作により、表示する画像の色域を変更可能に構成した場合であっても、上述したように生体内については実際に直視することができないため、医師等のユーザは、当該スイッチへの操作により画像の色域を変更しても、どれが適切な色域であるかを判断することができない。
これに対して、本実施の形態１に係る表示装置４は、自動的に信号処理装置６で処理された映像信号の色域を判別し、当該色域で適切に画像を表示することができる。このため、医師等のユーザは、当該画像を信頼して、適切に診断を行うことができる。
【００５２】
上述したように、国際協会は、４Ｋの映像信号については、国際協会は、ＹＣ変換でのマトリクス演算処理として、ＩＴＵ−Ｒ  ＢＴ．２０２０に準拠した演算式、及びＩＴＵ−Ｒ  ＢＴ．７０９に準拠した演算式のどちらを用いてもよい旨を規定している。このため、従来の構成（本実施の形態１のような色域識別情報（ＵＩＤ）を用いない構成）では、医療用表示装置は、映像信号（ＳＤＩデータストリーム）に含まれるＰＩＤにより、コンテンツの内容が４Ｋの映像信号であることを認識することができたとしても、医療用信号処理装置がＹＣ変換の際にＩＴＵ−Ｒ  ＢＴ．２０２０に準拠した演算式を用いたか、あるいは、ＩＴＵ−Ｒ  ＢＴ．７０９に準拠した演算式を用いたかを把握することができない。したがって、カメラヘッド２４から出力されるＲＡＷ信号が４Ｋの映像信号である場合に、本実施の形態１のように色域識別情報（ＵＩＤ）を用いることで、上述した効果（適切な色域で色再現性の優れた画像を表示することができる）を好適に実現することができる。
【００５３】
また、本実施の形態１に係る信号処理装置６は、所定のＳＤＩフォーマットで規定されるＵＩＤを利用して（データ識別ワード（ＤＩＤ，ＳＤＩＤ）におけるユーザ使用可能な使用区分を用いて）、ＳＤＩデータストリームの補助データ多重可能領域に、色域識別情報を付加する。また、信号処理装置６は、ＳＤＩデータストリームにおけるＹデータ系列及びＣＢ／ＣＲデータ系列のうち、Ｙデータ系列にのみ色域識別情報を付加する。
このため、ＵＩＤを構成するデータ識別ワード（ＤＩＤ）及び第２データ識別ワード（ＳＤＩＤ）にて当該ＵＩＤが色域を識別するための色域識別情報であることを規定し、ユーザデータワード（ＵＤＷ）にＹＣ変換でのマトリクス演算処理で用いた演算式を規定する値を設定するだけで、色域識別情報を付加することができる。したがって、色域識別情報を付加する構成を採用した場合であっても、信号処理装置６の処理負荷を軽減することができる。
【００５４】
（実施の形態２）
次に、本発明の実施の形態２について説明する。
以下の説明では、上述した実施の形態１と同様の構成には同一符号を付し、その詳細な説明は省略または簡略化する。
上述した実施の形態１に係る医療用観察システム１は、本発明に係る医療用観察装置として、硬性鏡（挿入部２１）を用いた内視鏡２（硬性内視鏡）を採用していた。
これに対して、本実施の形態２に係る医療用観察システムは、本発明に係る医療用観察装置として軟性鏡を用いた軟性内視鏡を採用している。
以下、本実施の形態２に係る医療用観察システムの構成について説明する。
【００５５】
図７は、本発明の実施の形態２に係る医療用観察システム１Ａの概略構成を示す図である。
本実施の形態２に係る医療用観察システム１Ａは、図７に示すように、生体内に挿入部２１Ａを挿入することによって観察部位の体内画像を撮像して撮像信号（ＲＡＷ信号）を生成する内視鏡２Ａと、内視鏡２Ａの先端から出射する照明光を発生する光源装置２２Ａと、内視鏡２Ａにて生成されたＲＡＷ信号を入力し、当該ＲＡＷ信号を処理する信号処理装置６と、信号処理装置６に第２伝送ケーブル５を介して接続し、信号処理装置６にて処理された映像信号に基づく画像を表示する表示装置４とを備える。
【００５６】
内視鏡２Ａは、本発明に係る医療用観察装置としての機能を有する。この内視鏡２Ａは、図７に示すように、可撓性を有する細長形状をなす挿入部２１Ａと、挿入部２１Ａの基端側に接続され、各種の操作信号の入力を受け付ける操作部２５と、操作部２５から挿入部２１Ａが延びる方向と異なる方向に延び、光源装置２２Ａ及び信号処理装置６に接続する各種ケーブルを内蔵するユニバーサルコード２６とを備える。
挿入部２１Ａは、図７に示すように、生体内を撮像してＲＡＷ信号を生成する撮像部（図示略）を内蔵した先端部２１１と、複数の湾曲駒によって硬性された湾曲自在な湾曲部２１２と、湾曲部２１２の基端側に接続され、可撓性を有する長尺状の可撓管部２１３とを備える。
ここで、ユニバーサルコード２６は、上述した実施の形態１で説明した第１伝送ケーブル３と略同様の構成を有する。そして、信号処理装置６及び表示装置４は、ユニバーサルコード２６を介して内視鏡２Ａから入力したＲＡＷ信号に対して、上述した実施の形態１と同様の処理をそれぞれ実行する。
【００５７】
以上説明した本実施の形態２のように軟性内視鏡（内視鏡２Ａ）を用いた場合であっても、上述した実施の形態１と同様の効果を奏する。
【００５８】
（実施の形態３）
次に、本発明の実施の形態３について説明する。
以下の説明では、上述した実施の形態１と同様の構成には同一符号を付し、その詳細な説明は省略または簡略化する。
上述した実施の形態１に係る医療用観察システム１は、本発明に係る医療用観察装置として、硬性鏡（挿入部２１）を用いた内視鏡２（硬性内視鏡）を採用していた。
これに対して、本実施の形態３に係る医療用観察システムは、本発明に係る医療用観察装置として所定の視野領域を拡大して撮像する手術用顕微鏡を採用している。
以下、本実施の形態３に係る医療用観察システムの構成について説明する。
【００５９】
図８は、本発明の実施の形態３に係る医療用観察システム１Ｂの概略構成を示す図である。
本実施の形態３に係る医療用観察システム１Ｂは、図８に示すように、被写体を観察するための画像を撮像して撮像信号（ＲＡＷ信号）を生成する手術用顕微鏡２Ｂと、手術用顕微鏡２Ｂにて生成されたＲＡＷ信号を入力し、当該ＲＡＷ信号を処理する信号処理装置６と、信号処理装置６に第２伝送ケーブル５を介して接続し、信号処理装置６にて処理された映像信号に基づく画像を表示する表示装置４とを備える。
【００６０】
手術用顕微鏡２Ｂは、本発明に係る医療用観察装置としての機能を有する。この手術用顕微鏡２Ｂは、図８に示すように、被写体の微小部位を拡大して撮像し、ＲＡＷ信号を生成する顕微鏡部２７と、顕微鏡部２７の基端部に接続し、顕微鏡部２７を回動可能に支持するアームを含む支持部２８と、支持部２８の基端部を回動可能に保持し、床面上を移動可能なベース部２９とを備える。
そして、信号処理装置６は、図８に示すように、ベース部２９に設置されている。
なお、ベース部２９は、床面上に移動可能に設けるのではなく、天井や壁面等に固定して支持部２８を支持する構成としてもよい。また、ベース部２９は、手術用顕微鏡２Ｂから被写体に照射する照明光を生成する光源部を備えていてもよい。
【００６１】
顕微鏡部２７は、例えば、円柱状をなして、生体内を撮像してＲＡＷ信号を生成する撮像部（図示略）を内蔵する。なお、本実施の形態３では、顕微鏡部２７は、当該撮像部を１つのみ有する。そして、当該撮像部にて生成されたＲＡＷ信号は、支持部２８に沿って配線された第１伝送ケーブル３を介して、信号処理装置６に出力される。
この顕微鏡部２７の側面には、手術用顕微鏡２Ｂの動作指示の入力を受け付けるスイッチ（図示略）が設けられている。また、顕微鏡部２７の下端部の開口面には、内部を保護するカバーガラス（図示略）が設けられている。
術者等のユーザは、顕微鏡部２７を把持した状態で各種スイッチを操作しながら、顕微鏡部２７を移動したりズーム操作を行ったりする。なお、顕微鏡部２７の形状は、ユーザが把持して視野方向を変更しやすいように、観察方向に細長く延びる形状であれば好ましい。このため、顕微鏡部２７の形状は、円柱状以外の形状であってもよく、例えば、多角柱状であってもよい。
そして、信号処理装置６及び表示装置４は、第１伝送ケーブル３を介して手術用顕微鏡２Ｂ（顕微鏡部２７）から入力したＲＡＷ信号に対して、上述した実施の形態１と同様の処理をそれぞれ実行する。
【００６２】
以上説明した本実施の形態３のように手術用顕微鏡２Ｂを用いた場合であっても、上述した実施の形態１と同様の効果を奏する。
【００６３】
（実施の形態４）
次に、本発明の実施の形態４について説明する。
以下の説明では、上述した実施の形態３と同様の構成には同一符号を付し、その詳細な説明は省略または簡略化する。
上述した実施の形態３に係る医療用観察システム１Ｂでは、顕微鏡部２７は、撮像部を１つのみ有していた。すなわち、医療用観察システム１Ｂでは、人等の被検体内部（生体内）を２Ｄ画像として表示していた。
これに対して、本実施の形態４に係る医療用観察システムでは、生体内を３Ｄ画像として表示可能とする。また、本実施の形態４に係る医療用観察システムでは、上述した実施の形態３で説明した医療用観察システム１Ｂに対して、表示装置に出力する映像信号（本実施の形態４では、３Ｄ映像信号）に付加する情報も異なる。
以下、本実施の形態４に係る医療用観察システムを構成する顕微鏡部、信号処理装置、及び表示装置の構成について説明する。
【００６４】
〔顕微鏡部の構成〕
図９は、本発明の実施の形態４に係る医療用観察システム１Ｃを構成する顕微鏡部２７Ｃ、信号処理装置６Ｃ、及び表示装置４Ｃの構成を示すブロック図である。
顕微鏡部２７Ｃは、図９に示すように、互いに視差を有する左，右目用画像をそれぞれ撮像する左目用撮像部２７１及び右目用撮像部２７２の２つの撮像部を備える。
左目用撮像部２７１は、信号処理装置６Ｃによる制御の下、医療用観察システム１Ｃを利用する医師等のユーザの左目にて視認させるための左目用画像を撮像して左目用映像信号を生成する。
右目用撮像部２７２は、信号処理装置６Ｃによる制御の下、医療用観察システム１Ｃを利用する医師等のユーザの右目にて視認させるための右目用画像を撮像して右目用映像信号を生成する。
本実施の形態４では、当該左，右目用映像信号は、それぞれ４Ｋの映像信号である。
そして、顕微鏡部２７Ｃは、左，右目用映像信号を光信号にそれぞれ光電変換するとともに、第１伝送ケーブル３を介して、当該光電変換した後の左，右目用映像信号（光信号）を信号処理装置６Ｃに出力する。
【００６５】
〔信号処理装置の構成〕
次に、信号処理装置６Ｃの構成について図９を参照して説明する。
信号処理装置６Ｃは、本発明に係る医療用信号処理装置としての機能を有する。この信号処理装置６Ｃは、図９に示すように、光電変換部６１Ｃと、第１信号変換部６２Ｃと、識別情報付加部６３Ｃと、信号出力部６４Ｃと、第１記録部６５Ｃとを備える。
光電変換部６１Ｃは、本発明に係る信号入力部としての機能を有し、第１伝送ケーブル３を介して顕微鏡部２７Ｃから左，右目用映像信号（光信号）をそれぞれ入力する。そして、光電変換部６１Ｃは、当該左，右目用映像信号（光信号）を電気信号にそれぞれ光電変換する。
【００６６】
図１０Ａは、第１信号変換部６２Ｃにて変換されるＳＤＩデータストリーム（Ｙデータ系列）の一例を示す図である。図１０Ｂは、第１信号変換部６２Ｃにて変換されるＳＤＩデータストリーム（ＣＢ／ＣＲデータ系列）の一例を示す図である。
第１信号変換部６２Ｃは、光電変換部６１Ｃにて光電変換された左，右目用映像信号に対して、上述した実施の形態１で説明したＹＣ変換を実行する。
また、第１信号変換部６２Ｃは、当該ＹＣ変換後の左，右目用映像信号（Ｙ，ＣＢ／ＣＲ信号）から公知の手法によりｌｉｎｅ  ｂｙ  ｌｉｎｅ方式（３Ｄ伝送方式）の３Ｄ映像信号（Ｙ，ＣＢ／ＣＲ信号）を生成する。本実施の形態４では、当該３Ｄ映像信号は、４Ｋの映像信号である。
さらに、第１信号変換部６２Ｃは、当該３Ｄ映像信号（Ｙ，ＣＢ／ＣＲ信号）を、上述した実施の形態１と同様に、所定のＳＤＩ（例えば、3G-SDIのレベルＡ）フォーマットで規定される複数チャンネル（例えば、４チャンネル）のＳＤＩデータストリーム（Ｙデータ系列、ＣＢ／ＣＲデータ系列）に変換する（図１０Ａ，図１０Ｂ）。
【００６７】
識別情報付加部６３Ｃは、第１信号変換部６２Ｃにて変換されたＳＤＩデータストリームに対して、上述した実施の形態１と同様に色域識別情報を付加するとともに、３Ｄ伝送方式（ｌｉｎｅ  ｂｙ  ｌｉｎｅ方式）に関する方式識別情報を付加する。
本実施の形態４では、識別情報付加部６３Ｃは、ＳＭＰＴＥ  ＳＴ  ２０６８に規定される「３ＤＦＣ（３Ｄ  Ｆｒａｍｅ  Ｃｏｍｐａｔｉｂｌｅ）補助データパケット」を方式識別情報として用いる。また、識別情報付加部６３Ｃは、ＳＤＩデータストリームにおけるＹデータ系列及びＣＢ／ＣＲデータのうち、Ｙデータ系列にのみ方式識別情報（３ＤＦＣ補助データパケット）を付加する。そして、識別情報付加部６３Ｃは、ＳＤＩデータストリーム（Ｙデータ系列）の垂直補助データ領域（ＶＡＮＣ）において、ライン番号「１０」の映像サンプル番号「０」〜「９」（図１０Ａに黒塗りで示した第３領域Ａｒ３）に、方式識別情報（３ＤＦＣ補助データパケット）を付加する。さらに、識別情報付加部６３Ｃは、第１信号変換部６２Ｃにて変換された全てのチャンネル（例えば、４チャンネル）のＳＤＩデータストリーム（Ｙデータ系列のみ）に対して方式識別情報（３ＤＦＣ補助データパケット）を付加する。
【００６８】
ここで、３ＤＦＣ補助データパケットは、Ｓｉｄｅ  ｂｙ  Ｓｉｄｅ方式、Ｔｏｐ  ａｎｄ  Ｂｏｔｔｏｍ方式、及びＴｅｍｐｏｒａｌ  Ｉｎｔｅｒｌｅａｖｅ方式の３つのフレームパッキング方式を識別する情報としてＳＭＰＴＥ  ＳＴ  ２０６８で規定されたものである。すなわち、３ＤＦＣ補助データパケットを単純に利用しただけでは、本実施の形態４に係るＬｉｎｅ  ｂｙ  Ｌｉｎｅ方式を識別することができない。
また、３ＤＦＧ補助データパケットは、色域識別情報（ＵＩＤ）と同様に、補助データフラグ（ＡＤＦ）と、データ識別ワード（ＤＩＤ）と、第２データ識別ワード（ＳＤＩＤ）と、データカウントワード（ＤＣ）と、ユーザデータワード（ＵＤＷ）と、チェックサムワード（ＣＳ）とで構成されている。
そして、これらのうち、ユーザデータワード（ＵＤＷ）は、上述した３つのフレームパッキング方式を識別するペイロードで構成されている。
【００６９】
図１１は、ＳＭＰＴＥ  ＳＴ  ２０６８で規定されるペイロードを示す図である。
ユーザデータワード（ＵＤＷ）は、図１１に示すように、３ワードからなり、それぞれ１０ビットで構成されている。
そして、３ワードのユーザデータワード（ＵＤＷ）のうち、ＵＤＷ１のビット位置ｂ２の「ＦＰＳ（Ｆｒａｍｅ  Ｐａｃｋｅｄ  Ｓｉｇｎａｌ）」は、映像信号が３Ｄ映像信号であるか否かを示す。具体的に、「ＦＰＳ」が「０」の値では、映像信号が３Ｄ映像信号でないことを示す。また、「ＦＰＳ」が「１」の値では、映像信号が３Ｄ映像信号であることを示す。このため、識別情報付加部６３Ｃは、「ＦＰＳ」を「１」の値に設定する。
【００７０】
また、ＵＤＷ１のビット位置ｂ７〜ｂ４の「ｆｐａ（Ｆｒａｍｅ  Ｐａｃｋｉｎｇ  Ａｒｒａｎｇｅｍｅｎｔ）３」〜「ｆｐａ０」は、フレームパッキング方式を示す。具体的に、「ｆｐａ３」〜「ｆｐａ０」が「００１１」の値では、フレームパッキング方式がＳｉｄｅ  ｂｙ  Ｓｉｄｅ方式であることを示す。また、「ｆｐａ３」〜「ｆｐａ０」が「０１００」の値では、フレームパッキング方式がＴｏｐ  ａｎｄ  Ｂｏｔｔｏｍ方式であることを示す。さらに、「ｆｐａ３」〜「ｆｐａ０」が「０１０１」の値では、フレームパッキング方式がＴｅｍｐｏｒａｌ  Ｉｎｔｅｒｌｅａｖｅ方式であることを示す。また、「ｆｐａ３」〜「ｆｐａ０」が「００００」の値では、未定義（Ｒｅｓｅｒｖｅｄ）であることを示す。
そして、識別情報付加部６３Ｃは、３Ｄ伝送方式がＬｉｎｅ  ｂｙ  Ｌｉｎｅ方式であることを示すため、未定義の使用区分を用いて、「ｆｐａ３」〜「ｆｐａ０」を「００００」の値に設定する。
【００７１】
信号出力部６４Ｃは、第２伝送ケーブル５を介して、色域識別情報（ＵＩＤ）及び方式識別情報（３ＤＦＣ補助データパケット）が付加された複数チャンネル（例えば、４チャンネル）のＳＤＩデータストリーム（Ｙデータ系列、ＣＢ／ＣＲデータ系列）を表示装置４Ｃに出力する。
第１記録部６５Ｃは、第１信号変換部６２Ｃや識別情報付加部６３Ｃでの各種処理に必要なデータ等を記録する。
【００７２】
〔表示装置の構成〕
次に、表示装置４Ｃの構成について図９を参照して説明する。
表示装置４Ｃは、本発明に係る医療用表示装置としての機能を有する。この表示装置４Ｃは、図９に示すように、上述した実施の形態３で説明した入力部４１の他、第２信号変換部４２Ｃと、表示部４３Ｃと、第２記録部４４Ｃとを備える。
第２信号変換部４２Ｃは、第２伝送ケーブル５及び入力部４１を介して、信号処理装置６Ｃからの複数チャンネル（例えば、４チャンネル）のＳＤＩデータストリーム（Ｙデータ系列、ＣＢ／ＣＲデータ系列）を入力する。そして、第２信号変換部４２Ｃは、当該ＳＤＩデータストリームを、上述した実施の形態１と同様に、当該ＳＤＩデータストリームに変換される前の３Ｄ映像信号（Ｙ，ＣＢ／ＣＲ信号）に変換するとともに、当該変換した３Ｄ映像信号（Ｙ，ＣＢ／ＣＲ信号）に対してＲＧＢ変換を実行する。
また、第２信号変換部４２Ｃは、ＳＤＩデータストリームの垂直補助データ領域（ＶＡＮＣ）における第３領域Ａｒ３（図１０Ａ）に付加された方式識別情報（３ＤＦＣ補助データパケット）のうち、ＵＤＷ１のビット位置Ｂ２の「ＦＰＳ」の値が「０」であることから、信号処理装置６Ｃから３Ｄ映像信号が出力されたことを把握する。また、第２信号変換部４２Ｃは、ＵＤＷ１のビット位置ｂ７〜ｂ４の「ｆｐａ３」〜「ｆｐａ０」の値が未定義（Ｒｅｓｅｒｖｅｄ）の値「００００」であることから、当該３Ｄ映像信号の３Ｄ伝送方式がＬｉｎｅ  ｂｙ  Ｌｉｎｅ方式であることを把握する。そして、第２信号変換部４２Ｃは、上記ＲＧＢ変換後の３Ｄ映像信号（ＲＧＢ信号）に対して、Ｌｉｎｅ  ｂｙ  Ｌｉｎｅ方式に対応した信号処理（例えば、視差調整等）を実行し、表示用の３Ｄ映像信号（ＲＧＢ信号）を生成する。
【００７３】
表示部４３Ｃは、Ｌｉｎｅ  ｂｙ  Ｌｉｎｅ方式で３Ｄ表示可能な３Ｄディスプレイで構成されている。そして、表示部４３Ｃは、第２信号変換部４２Ｃにて生成された表示用の３Ｄ映像信号（ＲＧＢ信号）に基づく３Ｄ画像を表示する。医療用観察システム１Ｃを利用する医師等のユーザは、偏光メガネ（図示略）を介して、表示部４３Ｃに表示された３Ｄ画像を左目及び右目で視認することにより、当該３Ｄ画像を立体視する。
第２記録部４４は、第２信号変換部４２Ｃでの各種処理に必要なデータ等を記録する。
【００７４】
以上説明した本実施の形態４のように３Ｄ表示可能な医療用観察システム１Ｃとした場合であっても、上述した実施の形態１と同様の効果を奏する。
本実施の形態４では、信号処理装置６Ｃは、３Ｄ映像信号をＬｉｎｅ  ｂｙ  Ｌｉｎｅ方式で表示装置４Ｃに出力している。当該Ｌｉｎｅ  ｂｙ  Ｌｉｎｅ方式の３Ｄ映像信号の特徴としては、表示装置４Ｃ側では、２Ｄ画像としても表示させることができるため、３Ｄ映像信号を処理するにあたって、２Ｄ映像信号と同じ回路パスとなる。すなわち、表示装置４Ｃにおいて、３Ｄ画像における表示の遅延量を少なく抑えることができる。特に、医療分野においては、リアルタイムで表示される３Ｄ画像を見ながら手術が行われるので、当該遅延量を少なくすることが効果的である。
【００７５】
また、上述したように、ＳＭＰＴＥ  ＳＴ  ２０６８では、３ＤＦＣ補助データパケットにおいて、Ｌｉｎｅ  ｂｙ  Ｌｉｎｅ方式を識別する情報が定義されていない。このため、信号処理装置から表示装置に対して、３ＤＦＣ補助データパケットが単純に付加され、Ｌｉｎｅ  ｂｙ  Ｌｉｎｅ方式で３Ｄ映像信号が出力されたとしても、表示装置側で当該３Ｄ映像信号の３Ｄ伝送方式（Ｌｉｎｅ  ｂｙ  Ｌｉｎｅ方式）を認識することができない。すなわち、表示装置側では、３Ｄ映像信号に対して、Ｌｉｎｅ  ｂｙ  Ｌｉｎｅ方式に応じた信号処理を実行することができず、医師等のユーザに対して適切に立体視させることができない。
これに対して、本実施の形態４では、信号処理装置６Ｃと表示装置４Ｃとの間で、３ＤＦＣ補助データパケットにおけるＵＤＷ１のビット位置ｂ７〜ｂ４の値が未定義である「００００」の値の状態をＬｉｎｅ  ｂｙ  Ｌｉｎｅ方式であるとして取り決めた。このため、表示装置４Ｃ側に３Ｄ映像信号の３Ｄ伝送方式（Ｌｉｎｅ  ｂｙ  Ｌｉｎｅ方式）を認識させるために、３ＤＦＣ補助データパケット以外の他の情報を採用する必要がなく、設計の効率化を図ることができる。また、表示装置４Ｃ側では、３Ｄ映像信号に対して、Ｌｉｎｅ  ｂｙ  Ｌｉｎｅ方式に応じた信号処理を実行することができるため、医師等のユーザに対して適切に立体視させることができる。
【００７６】
（その他の実施の形態）
ここまで、本発明を実施するための形態を説明してきたが、本発明は上述した実施の形態１〜４によってのみ限定されるべきものではない。
上述した実施の形態１〜４では、本発明に係る医療用観察装置として、硬性鏡（挿入部２１）を用いた内視鏡２（硬性内視鏡）、軟性鏡（図示略）を用いた内視鏡２Ａ（軟性内視鏡）、手術用顕微鏡２Ｂを採用していたが、これに限られず、超音波内視鏡等のその他の医療用観察装置を採用しても構わない。
【００７７】
上述した実施の形態１〜４において、医療用観察システム１，１Ａ〜１Ｃとして、信号処理装置６，６Ｃ及び表示装置４，４Ｃに対して、所定のＳＤＩ（例えば、HD-SDI、3G-SDI等）の伝送規格に準拠した伝送ケーブルを介してレコーダ（本発明に係る医療用記録装置に相当）を接続した構成を採用しても構わない。
当該レコーダとしては、信号処理装置６，６Ｃから出力される映像信号（複数チャンネルのＳＤＩデータストリーム）を記録し、当該記録した映像信号を表示装置４，４Ｃに出力する際に、信号処理装置６，６Ｃから表示装置４，４Ｃに出力される映像信号と同様に、色域識別情報や方式識別情報も併せて出力するように構成すればよい。
【００７８】
上述した実施の形態１〜４では、表示装置４，４Ｃは、信号処理装置６，６Ｃにて処理された映像信号の色域と同一の色域となるようにＲＧＢ変換を実行していたが、これに限られない。例えば、信号処理装置６，６Ｃにて処理された映像信号の色域に関する色域識別情報を把握し、当該色域識別情報に基づいて、信号処理装置６，６Ｃにて処理された映像信号の色域とは異なる色域となるようにＲＧＢ変換を実行するように構成しても構わない。
また、上述した実施の形態１〜４では、カメラヘッド２４、内視鏡２Ａ、または手術用顕微鏡２Ｂから出力されるＲＡＷ信号や左，右目用映像信号が４Ｋの映像信号である場合を説明したが、これに限られず、ＳＤ（Standard  Definition）やＨＤの映像信号、あるいは、８Ｋ以上の映像信号等の他の映像信号が出力される構成であっても、本発明を適用することができる。
【００７９】
また、処理フローは、上述した実施の形態１〜４で説明したフローチャート（図５，図６）における処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部（第１記録部６５，６５Ｃや第２記録部４４，４４Ｃ）に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【００８０】
上述した実施の形態４では、ＳＭＰＴＥ  ＳＴ  ２０６８に規定される３ＤＦＣ補助データパケットを方式識別情報として用いていたが、これに限られない。例えば、色域識別情報（ＵＩＤ）と同様に、所定のＳＤＩフォーマットで規定されるＵＩＤを方式識別情報として用いても構わない。
【符号の説明】
【００８１】
１，１Ａ〜１Ｃ  医療用観察システム
２，２Ａ  内視鏡
２Ｂ  手術用顕微鏡
３  第１伝送ケーブル
４，４Ｃ  表示装置
５  第２伝送ケーブル
６，６Ｃ  信号処理装置
７  第３伝送ケーブル
２１，２１Ａ  挿入部
２２，２２Ａ  光源装置
２３  ライトガイド
２４  カメラヘッド
２５  操作部
２６  ユニバーサルコード
２７，２７Ｃ  顕微鏡部
２８  支持部
２９  ベース部
４１  入力部
４２，４２Ｃ  第２信号変換部
４３，４３Ｃ  表示部
４４，４４Ｃ  第２記録部
６１，６１Ｃ  光電変換部
６２，６２Ｃ  第１信号変換部
６３，６３Ｃ  識別情報付加部
６４，６４Ｃ  信号出力部
６５，６５Ｃ  第１記録部
２１１  先端部
２１２  湾曲部
２１３  可撓管部
２７１，２７２  左，右目用撮像部
Ａｒ１〜Ａｒ３  第１〜第３領域
【図１】
2017022358.tif 000003
【図２】
2017022358.tif 000004
【図３Ａ】
2017022358.tif 000005
【図３Ｂ】
2017022358.tif 000006
【図４】
2017022358.tif 000007
【図５】
2017022358.tif 000008
【図６】
2017022358.tif 000009
【図７】
2017022358.tif 000010
【図８】
2017022358.tif 000011
【図９】
2017022358.tif 000012
【図１０Ａ】
2017022358.tif 000013
【図１０Ｂ】
2017022358.tif 000014
【図１１】
2017022358.tif 000015
【図１２】
2017022358.tif 000016
【図１３】
2017022358.tif 000017
【国際調査報告】
2017022358.tif 000018
2017022358.tif 000019